(57)【要約】【課題】  短い作業時間で取り付けられ、かつ、室内美観を損なうことなく取り付けることができ、また、スピーカーで発生する振動が壁面に伝わりにくい建物内空間の入隅に取り付けるスピーカーシステムを提供する。【解決手段】  スピーカーと、建物内空間の入隅に沿って配設される建材本体を複数に分割して形成されてスピーカーが取り付けられるキャビネット筒体と、複数のキャビネット筒体の隣接する対向端部同士を連結する連結部材と、を備えるスピーカーシステムであって、連結部材が、その仕切壁部の天面側ならびに背面側においてキャビネット筒体よりも突出し建物内空間の壁面に当接する当接連結壁と、を備え、当接連結壁が、第１仕切壁、第２仕切壁および当接連結壁が規定する内部空間から仕切壁部の天面側もしくは背面側に連通する固定ネジ孔を有する。【選択図】  図５
2007336390.tif 000002
【特許請求の範囲】
【請求項１】
スピーカーと、建物内空間の入隅に沿って配設される建材本体を複数に分割して形成されて該スピーカーが取り付けられるキャビネット筒体と、該複数のキャビネット筒体の隣接する対向端部同士を連結する連結部材と、を備えるスピーカーシステムであって、
該連結部材が、該キャビネット筒体の端部を係止する仕切壁部と、該仕切壁部から突設されて該キャビネット筒体の端部に嵌合する第１嵌合突起ならびに第２嵌合突起と、を備え、
該仕切壁部が、該第１嵌合突起が突設する第１仕切壁と、該第２嵌合突起が突設する第２仕切壁と、該第１仕切壁と第２仕切壁とを連結し、かつ、該仕切壁部の天面側ならびに背面側において該キャビネット筒体よりも突出し該建物内空間の壁面に当接する当接連結壁と、を備え、
該当接連結壁が、該第１仕切壁、第２仕切壁および該当接連結壁が規定する内部空間から該仕切壁部の天面側もしくは背面側に連通する固定ネジ孔を有する、
スピーカーシステム。
【請求項２】
前記連結部材で連結された前記複数のキャビネット筒体のうちで該連結部材が嵌合しない終端部に嵌合する第１終端固定部材および第２終端固定部材をさらに備える、請求項１に記載のスピーカーシステムであって、
該第１終端固定部材および該第２終端固定部材がそれぞれ、該キャビネット筒体の端部を固定する固定部と、該固定部から突設されて該キャビネット筒体の端部に嵌合する嵌合突起と、を備え、
該固定部が、該嵌合突起が突設する仕切壁と、該仕切壁と離隔して設けられる化粧壁と、該仕切壁と該化粧壁とを連結し、かつ、該固定部の天面側ならびに背面側において該キャビネット筒体よりも突出し、該建物内空間の壁面に当接する当接固定壁と、を備え、
該当接固定壁が、該仕切壁、該化粧壁および該当接固定壁が規定する内部空間から該固定部の天面側もしくは背面側に連通する固定ネジ孔を有する、
スピーカーシステム。
【請求項３】
前記連結部材の前記固定ネジ孔を貫通し、かつ、前記建物内空間の壁面に螺入する固定ネジと、
前記第１終端固定部材の前記固定ネジ孔を貫通し、かつ、前記建物内空間の壁面に螺入する固定ネジと、
前記第２終端固定部材の前記固定ネジ孔を貫通し、かつ、前記建物内空間の壁面に螺入する固定ネジと、をさらに備え、
該連結部材の前記当接連結壁と、該第１終端固定部材の前記当接固定壁と、該第２終端固定部材の前記当接固定壁が、それぞれ該建物内空間の壁面に螺着される、請求項３に記載のスピーカーシステム。
【請求項４】
前記複数のキャビネット筒体がそれぞれ、前記建材本体の延びる方向に延設された前記スピーカーへの配線を収容する配線溝を備え、
前記連結部材が、該配線溝に連通する連結配線溝をさらに備える、請求項１から３のいずれかに記載のスピーカーシステム。
【請求項５】
通気性を有する前面パネルをさらに複数備え、該複数の前面パネルが、前記複数のキャビネット筒体の前面側にそれぞれ取り付けられ、前記連結部材ならびに前記第１終端固定部材および前記第２終端固定部材を覆う形状に形成されている、請求項２から４のいずれかに記載のスピーカーシステム。
【請求項６】
前記連結部材の前記当接連結壁と、前記第１終端固定部材ならびに前記第２終端固定部材の前記当接固定壁とに、さらに弾性材料製の振動吸収層が設けられている、請求項２から５のいずれかに記載のスピーカーシステム。
【請求項７】
請求項３から６のいずれかに記載のスピーカーシステムを前記建物内空間の入隅の壁面に沿って取り付けるスピーカーシステム取付方法であって、
前記第１終端固定部材を前記固定ネジで該建物内空間の壁面に螺着する工程と、
該第１終端固定部材の前記嵌合突起と前記キャビネット筒体の一方の端部とを嵌合させる工程と、
該キャビネット筒体の他方の端部と前記連結部材の前記第１嵌合突起とを嵌合させる工程と、
該連結部材を前記固定ネジで該建物内空間の壁面に螺着する工程と、
該連結部材の前記第２嵌合突起と該複数のうち他のキャビネット筒体の一方の端部とを嵌合させる工程と、
該複数のうち他のキャビネット筒体の他方の端部と前記第２終端固定部材の前記嵌合突起とを嵌合させる工程と、
該第２終端固定部材を前記固定ネジで該建物内空間の壁面に螺着する工程と、
を含む、スピーカーシステムの取付方法。
【発明の詳細な説明】
【技術分野】
【０００１】
本発明は、建物内空間の入隅に沿って配設されるスピーカーシステム、および、このスピーカーシステムを取り付ける取付方法に関する。
【背景技術】
【０００２】
従来、建物内に設置されるスピーカーシステムとしては、スピーカーを天井や壁に埋め込んだものや、スピーカーを天井から吊り下げるようにしたものが知られている（例えば、特許文献１、２参照）。また、他のスピーカーシステムとしては、隣接する壁と天井との三面で形成されるコーナーにスピーカーを取り付けたものも知られている（例えば、特許文献３参照）。
【０００３】
また、従来には、スピーカーが露出することで室内美観を損ねるという問題を解消するスピーカーシステムとして、例えば壁と天井の交差する天井側入隅に沿ってパネルを配設すると共に、このパネルを壁と天井に跨るように取り付けて、このパネルにスピーカーを取り付け、このスピーカーの前面を前面パネル（カバー、保護ネット）で覆うようにしたものが知られている（例えば、特許文献４、５参照）。
【０００４】
【特許文献１】特開２００４−８１５３７号公報
【特許文献２】特開２００３−２３９５０６号公報
【特許文献３】実公平７−２４８６７号公報
【特許文献４】特開平６−１４９２６５号公報
【特許文献５】実用新案登録第２５６４１９８号公報（実開平５−５７２２１号公報）
【０００５】
また、従来には、スピーカーシステムを建物の壁面に取り付けるための壁面への取付具として、スピーカーシステムの形態に合わせて、さまざまな形態の取付具が提案されている。特に、建物内空間の入隅に沿って配設される建材本体を利用して形成された筒体を備えるスピーカーシステムでは、建物の壁面への取り付けを、建材を壁面に取り付けるのと同様に、この筒体に設けた取付穴にネジを貫通させ、このネジが壁面、もしくは、壁面の裏側に設けられた柱材に螺着することで、スピーカーシステムを取り付ける場合がある。
【０００６】
しかしながら、建物内空間の入隅にスピーカーシステムを取り付ける場合には、建材のみの場合に比べて重量があるスピーカーシステムを作業者が片手で保持したまま、固定するネジをもう一方の手でドライバー等の工具を使って螺着しなければならないので、短い作業時間で取り付けが可能で、かつ、室内美観を損なわないためには、さらに取り付けが簡易なスピーカーシステム、ならびに、その取付方法が求められている。また、スピーカーシステムは、落下しないように壁面に強固に取り付けられなければならない一方で、スピーカーで発生する振動が壁面に伝わらないように取り付けるのが好ましい。
【発明の開示】
【発明が解決しようとする課題】
【０００７】
本発明は、上記の従来技術が有する問題を解決するためになされたものであり、その目的は、建物内空間の入隅に取り付けるスピーカーシステムであって、短い作業時間で取り付けられ、かつ、室内美観を損なうことなく取り付けることができ、また、スピーカーで発生する振動が壁面に伝わりにくいスピーカーシステム、および、スピーカーシステムの取付方法を提供することにある。
【課題を解決するための手段】
【０００８】
本発明のスピーカーシステムは、スピーカーと、建物内空間の入隅に沿って配設される建材本体を複数に分割して形成されてスピーカーが取り付けられるキャビネット筒体と、複数のキャビネット筒体の隣接する対向端部同士を連結する連結部材と、を備えるスピーカーシステムであって、連結部材が、キャビネット筒体の端部を係止する仕切壁部と、仕切壁部から突設されてキャビネット筒体の端部に嵌合する第１嵌合突起ならびに第２嵌合突起と、を備え、仕切壁部が、第１嵌合突起が突設する第１仕切壁と、第２嵌合突起が突設する第２仕切壁と、第１仕切壁と第２仕切壁とを連結し、かつ、仕切壁部の天面側ならびに背面側においてキャビネット筒体よりも突出し建物内空間の壁面に当接する当接連結壁と、を備え、当接連結壁が、第１仕切壁、第２仕切壁および当接連結壁が規定する内部空間から仕切壁部の天面側もしくは背面側に連通する固定ネジ孔を有する。
【０００９】
好ましくは、本発明のスピーカーシステムは、連結部材で連結された複数のキャビネット筒体のうちで連結部材が嵌合しない終端部に嵌合する第１終端固定部材および第２終端固定部材をさらに備え、第１終端固定部材および第２終端固定部材がそれぞれ、キャビネット筒体の端部を固定する固定部と、固定部から突設されてキャビネット筒体の端部に嵌合する嵌合突起と、を備え、固定部が、嵌合突起が突設する仕切壁と、仕切壁と離隔して設けられる化粧壁と、仕切壁と化粧壁とを連結し、かつ、固定部の天面側ならびに背面側においてキャビネット筒体よりも突出し、建物内空間の壁面に当接する当接固定壁と、を備え、当接固定壁が、仕切壁、化粧壁および当接固定壁が規定する内部空間から固定部の天面側もしくは背面側に連通する固定ネジ孔を有する。
【００１０】
さらに好ましくは、本発明のスピーカーシステムは、連結部材の固定ネジ孔を貫通し、かつ、建物内空間の壁面に螺入する固定ネジと、第１終端固定部材の固定ネジ孔を貫通し、かつ、建物内空間の壁面に螺入する固定ネジと、第２終端固定部材の固定ネジ孔を貫通し、かつ、建物内空間の壁面に螺入する固定ネジと、をさらに備え、連結部材の当接連結壁と、第１終端固定部材の当接固定壁と、第２終端固定部材の当接固定壁が、それぞれ建物内空間の壁面に螺着される。
【００１１】
また、好ましくは、本発明のスピーカーシステムは、複数のキャビネット筒体がそれぞれ、建材本体の延びる方向に延設されたスピーカーへの配線を収容する配線溝を備え、連結部材が、配線溝に連通する連結配線溝をさらに備える。
【００１２】
また、さらに好ましくは、本発明のスピーカーシステムは、通気性を有する前面パネルをさらに複数備え、複数の前面パネルが、複数のキャビネット筒体の前面側にそれぞれ取り付けられ、連結部材ならびに第１終端固定部材および第２終端固定部材を覆う形状に形成されている。
【００１３】
さらに好ましくは、本発明のスピーカーシステムは、連結部材の当接連結壁と、第１終端固定部材ならびに第２終端固定部材の当接固定壁とに、さらに弾性材料製の振動吸収層が設けられている。
【００１４】
また、本発明のスピーカーシステムの取付方法は、スピーカーシステムを建物内空間の入隅の壁面に沿って取り付けるスピーカーシステム取付方法であって、第１終端固定部材を固定ネジで建物内空間の壁面に螺着する工程と、第１終端固定部材の嵌合突起とキャビネット筒体の一方の端部とを嵌合させる工程と、キャビネット筒体の他方の端部と連結部材の第１嵌合突起とを嵌合させる工程と、連結部材を固定ネジで建物内空間の壁面に螺着する工程と、連結部材の第２嵌合突起と複数のうち他のキャビネット筒体の一方の端部とを嵌合させる工程と、複数のうち他のキャビネット筒体の他方の端部と第２終端固定部材の嵌合突起とを嵌合させる工程と、第２終端固定部材を固定ネジで建物内空間の壁面に螺着する工程と、を含む。
【００１５】
以下、本発明の作用について説明する。
【００１６】
本発明のスピーカーシステムは、スピーカーと、建物内空間の入隅に沿って配設される建材本体を複数に分割して形成されてスピーカーが取り付けられるキャビネット筒体と、複数のキャビネット筒体の隣接する対向端部同士を連結する連結部材と、を備え、好ましくはさらに、連結部材で連結された複数のキャビネット筒体のうちで連結部材が嵌合しない終端部に嵌合する第１終端固定部材および第２終端固定部材を備える。スピーカーシステムは、連結部材ならびに第１終端固定部材および第２終端固定部材に設けられた固定ネジ孔に、固定ネジを貫通させ、かつ、前記建物内空間の壁面に螺入させることにより、建物内空間の入隅に沿って取り付けられる。
【００１７】
ここで、連結部材が、その天面側ならびに背面側においてキャビネット筒体よりも突出し建物内空間の壁面に当接する当接連結壁を備え、また、第１終端固定部材および第２終端固定部材が、同様にその天面側ならびに背面側においてキャビネット筒体よりも突出し建物内空間の壁面に当接する当接固定壁を備える。固定ネジ孔は、当接連結壁ならびに当接固定壁に設けられており、それぞれの前面側に規定された内部空間からドライバー等の工具を使って固定ネジを螺着させることができる。したがって、スピーカーシステムが建物内空間の入隅に沿って取り付けられる場合に、スピーカーが取り付けられるキャビネット筒体が直接に壁面に当接することが無く、スピーカーで発生する振動を壁面に伝わりにくくすることができる。連結部材の当接連結壁と、第１終端固定部材ならびに第２終端固定部材の当接固定壁とに、さらに弾性材料製の振動吸収層を設ける場合には、さらにスピーカーで発生する振動を壁面に伝わりにくくすることができる。
【００１８】
スピーカーシステムを建物内空間の入隅の壁面に沿って取り付ける方法としては、作業者は、まず、最初に、第１終端固定部材を固定ネジで建物内空間の壁面に螺着し、第１終端固定部材の嵌合突起とキャビネット筒体の一方の端部とを嵌合させ、キャビネット筒体の他方の端部と連結部材の第１嵌合突起とを嵌合させ、連結部材を固定ネジで建物内空間の壁面に螺着し、スピーカーシステムを構成する最初のキャビネット筒体を壁面に取り付ける。その後、作業者は、連結部材の第２嵌合突起と次のキャビネット筒体の一方の端部とを嵌合させ、さらに連結部材をキャビネット筒体の他方の端部に嵌合させ、連結部材を固定ネジで建物内空間の壁面に螺着する。そして、最後に、作業者は、キャビネット筒体の他方の端部と第２終端固定部材の嵌合突起とを嵌合させ、第２終端固定部材を固定ネジで建物内空間の壁面に螺着する。スピーカーシステムをこのような取付方法が可能な構成とすることで、作業者は、スピーカーシステムを建物内空間の入隅に沿って、短い作業時間で、かつ、室内美観を損なわないように取り付けることができる。
【００１９】
このスピーカーシステムは、複数のキャビネット筒体がそれぞれ、建材本体の延びる方向に延設されたスピーカーへの配線を収容する配線溝を備え、連結部材が、配線溝に連通する連結配線溝をさらに備える。配線溝内にスピーカーへの配線を収容すると、配線が露出せずに室内美観を損なわない。また、通気性を有する前面パネルをさらに複数備え、複数の前面パネルが、複数のキャビネット筒体の前面側にそれぞれ取り付けられ、連結部材ならびに第１終端固定部材および第２終端固定部材を覆う形状に形成されている。これらの前面パネルをキャビネット筒体に取り付けられることで、スピーカーシステムを建物内空間の入隅に沿って取り付けても室内美観を損なわない。
【発明の効果】
【００２０】
本発明のスピーカーシステムおよびスピーカーシステムの取付方法は、建物内空間の入隅に取り付けるスピーカーシステムを、短い作業時間で取り付けられ、かつ、室内美観を損なうことなく取り付けることができ、また、スピーカーで発生する振動を壁面に伝わりにくくすることができる。
【発明を実施するための最良の形態】
【００２１】
本発明のスピーカーシステムおよびスピーカーシステムの取付方法は、建物内空間の入隅に取り付けるスピーカーシステムを、短い作業時間で取り付けられ、かつ、室内美観を損なわないように取り付けることができ、また、スピーカーで発生する振動を壁面に伝わりにくくするという目的を、キャビネット筒体を連結する連結部材が、キャビネット筒体の端部を係止する仕切壁部と、仕切壁部から突設されてキャビネット筒体の端部に嵌合する第１嵌合突起ならびに第２嵌合突起と、を備え、仕切壁部が、第１嵌合突起が突設する第１仕切壁と、第２嵌合突起が突設する第２仕切壁と、第１仕切壁と第２仕切壁とを連結し、かつ、仕切壁部の天面側ならびに背面側においてキャビネット筒体よりも突出し建物内空間の壁面に当接する当接連結壁と、を備え、当接連結壁が、第１仕切壁、第２仕切壁および当接連結壁が規定する内部空間から仕切壁部の天面側もしくは背面側に連通する固定ネジ孔を有するようにすることにより、実現した。
【００２２】
以下、本発明の好ましい実施形態によるスピーカーシステムおよびスピーカーシステムの取り付け方法について説明するが、本発明はこれらの実施形態には限定されない。
【実施例１】
【００２３】
図１は、建物の一部である居室と、それに取り付ける本発明の好ましい実施形態によるスピーカーシステムについて説明する図である。居室（建物内空間）は略方形状であり、図１（ａ）は、その内部から一方の壁面２の方向を見た概観図である。壁面２の左右には壁面３および４が、壁面２の上下には天井１および床面５が形成されている。例えば、壁面２には映像表示器９が設置されており、居室内の視聴者に映像を再生する。そして、天井１と壁２、３および４とが交差するコーナーには天井側入隅がそれぞれ形成されており、これらの天井側入隅には、スピーカーシステム６、７および８が設置されており、居室内の視聴者に音声を再生する。なお、図示しない居室の他の入隅、つまり、天井１と壁２に対抗する反対面の壁とが交差するコーナーの天井側入隅にも、スピーカーシステムを配置してもよい。
【００２４】
図１（ｂ）は、図１（ａ）の天井１と壁面２とが形成する天井側入隅に配置されるスピーカーシステム６を説明する一部拡大図である。スピーカーシステム６は、樹脂を押し出し成形することにより形成されている建物用建材を複数に分割して形成されたキャビネットを備え、音声を再生する一方で、天井側入隅に沿って配設される廻り縁として機能するスピーカーシステムである。スピーカーシステム６は、後述するように、押出成形されたキャビネットの前面を覆う通気性を有する前面パネルを備え、居室内の視聴者からはこの前面パネルが主に露出している。スピーカーシステム６を入隅に取り付けるには、作業者が、居室の内側からネジ等を使って、天井１もしくは壁面２にスピーカーシステム６を螺着して取り付ける。他のスピーカーシステム７および８についても、同様である。
【００２５】
このスピーカーシステムのキャビネットは、音質を改善するためにＡＢＳ樹脂に１〜数十％の木粉が混ぜられた材料、並びに、成形時に発泡する発泡剤を含む材料を押し出し成形により形成する。この木粉は、新しい木材から作ることもできるが、廃材等を利用して作ることもできる。また、前面パネルは、代表的には、凹凸を有する押出成形材に通気孔を設けたグリルに、この通気孔をサランネット等の織布で覆ったネットグリルや、折り曲げ加工したパンチングネットである。
【００２６】
図２は、更に詳しく本発明の好ましい実施形態によるスピーカーシステム１０の構成について説明する斜視図である。例えば、図２（ａ）で示すように、天井側入隅に配置されるスピーカーシステム１０は、押出形状が同一の複数のキャビネット１１、１２、１３、１４および１５が、相互に連結して構成されている。図２（ｂ）は、このスピーカーシステム１０を構成の一部を展開して説明する斜視図である。複数のキャビネット１１、１２、１３、１４および１５の前面側には、それぞれ前面パネル３１、３２、３３、３４および３５が、それぞれのキャビネットの前面側を覆うように取り付けられている。キャビネット１１、１２および１３には、それぞれ電気音響変換ユニット２１、２２、もしくは、２３が取り付けられ、音声を再生するスピーカーが構成されている。例えば、電気音響変換ユニット２１は、スピーカー２１ａと、高音用ツィーター２１ｂと、ダクト兼ターミナル２１ｃと、がキャビネット１１の前面側に設けられた開口に取り付けられており、音声を再生するスピーカーを構成する。また、ダクト兼ターミナル２１ｃは、キャビネット１１の内と外の空間を連通するバスレフダクトと、配線接続用のターミナルとを備えている。一方で、キャビネット１４および１５には、電気音響変換ユニットは取り付けられない。つまり、このスピーカーシステム１０の場合には、音声を再生するスピーカーと、音声を再生しないキャビネットとが、相互に連結して構成されている。
【００２７】
隣接するキャビネット同士は、後述する連結部材によって連結される。例えば、キャビネット１１の左側に位置するキャビネット１２は、隣接する対向端部同士を連結する連結部材４１により連結される。同様に、連結部材４１と同一形状の連結部材４２がキャビネット１１と１３を、連結部材４３がキャビネット１４と１２を、連結部材４４がキャビネット１３と１５を連結している。また、スピーカーシステムの両端、つまり、連結部材が嵌合しない終端部には、後述する第１終端固定部材および第２終端固定部材が嵌合される。図２（ｂ）のスピーカーシステム１０では、キャビネット１４の左端に第１終端固定部材５１と、キャビネット１５の右端に第２終端固定部材５２と、が取り付けられている。その結果、連結されて構成されたスピーカーシステム１０は、天井側入隅に沿うような直線状に形成され、室内美観を改善する廻り縁として機能する。
【００２８】
なお、スピーカーシステム１０の構成は、複数のキャビネット１１〜１５が、相互に連結して構成されている場合に限られるものではない。図２の例に限定されるものではなく、複数のキャビネットが連結部材で連結していればよい。また、いずれかのキャビネットに電気音響変換するスピーカーユニットが取り付けられていればよい。また、ダクト兼ターミナル２１ｃに代えて、別々に形成されたバスレフダクトならびにターミナルをそれぞれ取り付けても良い。
【００２９】
図３は、天井１および壁面２にネジ５０によって取り付けられたスピーカーシステム１０の図１（ａ）におけるＡ−Ａ’側方断面図である。図３では、Ａ−Ａ’断面のキャビネット１１および前面パネル３１の破断面がハッチングされて表されており、キャビネット１１に取り付けられるスピーカーユニット２１ａと、後述する内部蓋６１ａと、キャビネット１１の左側に連結する連結部材４１とが、側面視されている。天井１および壁面２が図示するような材厚が薄い内壁材料の場合には、内壁材料の裏に沿わせる補強柱材（根太、等）を設けて、その補強柱材にネジ５０が螺合するのが好ましい。なお、ネジ５０を螺合するのは、天井１もしくは壁面２のいずれか一方でもよい。
【００３０】
押出成形されるキャビネット１１の断面形状は、バッフル面１１ａと、下側フランジ１１ｂと、上側フランジ１１ｃと、キャビネット後面１１ｄとから構成される。バッフル面１１ａおよびキャビネット後面１１ｄで囲まれた空間は、スピーカー２１ａ等が収まる空間を規定している。また、下側フランジ１１ｂは、スピーカーのターミナルに音声信号を伝送する配線２０を収容する配線溝部を規定している。また、下側フランジ１１ｂおよび上側フランジ１１ｃは、それぞれ前面パネル３１を取り付ける前面パネル取付部を規定している。前面パネル３１は、パンチングネットを折り曲げ加工して成形したものであり、下側フランジ１１ｂおよび上側フランジ１１ｃのそれぞれの係止部に端部が嵌合することで、キャビネット１１に取り付けられている。なお、前面パネル３１をキャビネット１１に取り付ける方法は、上記の場合に限られず、例えば、図１（ｂ）に示すスピーカーシステム６のように、上側フランジ１１ｃ側へ表側からネジ止めしてもよい。
【００３１】
図４は、連結部材４１を説明する図であり、図４（ａ）は正面図、図４（ｂ）は天井１、壁面２およびネジ５０を点線で書き加えた側面図、図４（ｃ）は天井１側から見たＤ−Ｄ’断面図である。連結部材は、例えば、ＡＢＳ樹脂を射出成形して形成され、キャビネットの端部を係止する仕切壁部と、仕切壁部から突設されてキャビネットの端部に嵌合する嵌合突起を備え、隣接するキャビネット同士を連結する。具体的には、連結部材４１は、第１嵌合突起４１ｂが突設する第１仕切壁４１ａと、第２嵌合突起４１ｄが突設する第２仕切壁４１ｃと、第１仕切壁４１ａと第２仕切壁４１ｃとを連結し、かつ、仕切壁部の天面側ならびに背面側においてキャビネットよりも突出し建物内空間の壁面に当接する当接連結壁４１ｅと、を備え、当接連結壁４１ｅが、第１仕切壁４１ａ、第２仕切壁４１ｃおよび当接連結壁４１ｅが規定する内部空間４１ｆから仕切壁部の天面側もしくは背面側に連通する固定ネジ孔４１ｇを有する。
【００３２】
図４（ｂ）に示されるように、スピーカーシステム１０は、天井１および壁面２に対して、連結部材４１を介して複数のネジ５０で取り付けられる。複数のネジ５０は、そのネジ頭の最大外径が固定ネジ孔４１ｇよりも大きく、かつ、内部空間４１ｆに収容される大きさであり、固定ネジ孔４１ｇを貫通して、当接連結壁４１ｅが天井１および壁面２に螺着する。内部空間４１ｆは、前面側からドライバーを挿入して背面側の固定ネジ孔４１ｇにネジ５０を取り付けられ、また、下側からドライバーを挿入して天井側の固定ネジ孔４１ｇにネジ５０を取り付けられる、斜めに開いた開口を有する。好ましくは、連結部材４１は、図４（ｂ）に示されるようなキャビネットの配線溝部に連通する配線孔（もしくは配線用切欠）４１ｈを有していてもよく、配線孔４１は、スピーカーのターミナルに音声信号を伝送する配線２０を収容する。
【００３３】
図５は、スピーカーシステム１０の連結部材４１の周辺構造について、図３における天井１側から見たＣ−Ｃ’断面の拡大断面図である。連結部材４１は、キャビネット１１の左側端部とキャビネット１２の右側端部とを連結し、スピーカーシステム１０をネジ５０で壁面２に固定している。樹脂またはゴムで成型される内部蓋６１ａは、キャビネット１１のバッフル面１１ａおよびキャビネット後面１１ｄで囲まれた空間の左側端部を閉塞し、バッフル面１１ａおよびキャビネット後面１１ｄで囲まれた空間を、スピーカーの背面に連結される音響的な容量として機能させる。（なお、図示しないキャビネット１１の右側端部も、同様に図示しない内部蓋６１ｂにより閉塞される。）同様に、内部蓋６２ａは、キャビネット１２のバッフル面１２ａおよびキャビネット後面１２ｄで囲まれた空間の右側端部を閉塞し、バッフル面１２ａおよびキャビネット後面１２ｄで囲まれた空間を、スピーカーの音響的な容量として機能させる。連結部材４１の仕切壁部で隣り合う前面パネル３１および３２は、連結部材４１を前面から覆うので、図５の拡大断面図においては、その一部がそれぞれ床面５側に上面視されている。
【００３４】
連結部材４１の第１嵌合突起４１ｂは、キャビネット１１のバッフル面１１ａおよびキャビネット後面１１ｄで囲まれた空間の左側端部内側に嵌合し、キャビネット１１の左側端部は、第１仕切壁４１ａに当接する。また、連結部材４１の第２嵌合突起４１ｄは、キャビネット１２のバッフル面１２ａおよびキャビネット後面１２ｄで囲まれた空間の右側端部内側に嵌合し、キャビネット１２の右側端部は、第２仕切壁４１ｂに当接する。固定ネジ孔４１ｇを有する当接連結壁４１ｅは、第１仕切壁４１ａと第２仕切壁４１ｃとを連結し、かつ、仕切壁部の天面側ならびに背面側においてキャビネット１１および１２よりも図示する寸法Ｘ（Ｘ＞０）突出している。したがって、当接連結壁４１ｅが、建物内空間の壁面２に当接するので、キャビネット１１および１２の背後には寸法Ｘの隙間が生じ、キャビネット１１のキャビネット後面１１ｄ、あるいは、キャビネット１２のキャビネット後面１２ｄは、天井１および壁面２に直接に当接しない。その結果、スピーカーシステム１０においては、スピーカーユニットで発生した振動がキャビネットを振動させても、キャビネットの振動が天井１および壁面２に伝わるのが抑制され、より好ましい音声再生が可能になる。
【００３５】
図６は、キャビネット１４の左端に嵌合する第１終端固定部材５１を説明する図であり、図６（ａ）は正面図、図６（ｂ）は天井、壁面およびネジを点線で書き加えた側面図、図６（ｃ）は図６（ｂ）の反対側から見た側面図である。第１終端固定部材も、例えば、ＡＢＳ樹脂を射出成形して形成され、キャビネット筒体の端部を固定する固定部と、固定部から突設されてキャビネット筒体の端部に嵌合する嵌合突起とを備える。具体的には、第１終端固定部材５１の固定部は、嵌合突起５１ｂが突設する仕切壁５１ａと、仕切壁５１ａと離隔して設けられる化粧壁５１ｃと、仕切壁５１ａと化粧壁５１ｃとを連結し、かつ、固定部の天面側ならびに背面側においてキャビネットよりも突出し、建物内空間の壁面に当接する当接固定壁５１ｅと、を備える。当接固定壁５１ｅは、仕切壁５１ａ、化粧壁５１ｃおよび当接固定壁５１ｅが規定する内部空間５１ｆから固定部の天面側もしくは背面側に連通する固定ネジ孔５１ｇを有する。
【００３６】
図６（ｂ）に示されるように、スピーカーシステム１０は、天井１および壁面２に対して、連結部材４１とともに第１終端固定部材５１を介して複数のネジ５０で取り付けられる。複数のネジ５０は、固定ネジ孔５１ｇを貫通して、当接固定壁５１ｅが天井１および壁面２に螺着する。内部空間５１ｆは、前面側からドライバーを挿入して背面側の固定ネジ孔５１ｇにネジ５０を取り付けられ、また、下側からドライバーを挿入して天井側の固定ネジ孔５１ｇにネジ５０を取り付けられる、斜めに開いた開口を有する。また、好ましくは、第１終端固定部材５１は、図６（ｂ）に示されるようなキャビネットの配線溝部に連通する配線孔（もしくは配線用切欠）５１ｈを仕切壁５１ａに有していてもよい。配線孔５１ｈは、スピーカーのターミナルに音声信号を伝送する配線２０を収容する。
【００３７】
また、キャビネット１５の右端に嵌合する第２終端固定部材５２は、第１終端固定部材５１を左右反転した形状である。第２終端固定部材も、例えば、ＡＢＳ樹脂を射出成形して形成され、キャビネット筒体の端部を固定する固定部と、固定部から突設されてキャビネット筒体の端部に嵌合する嵌合突起とを備える。具体的には、第２終端固定部材５２の固定部は、嵌合突起５２ｂが突設する仕切壁５２ａと、仕切壁５２ａと離隔して設けられる化粧壁５２ｃと、仕切壁５２ａと化粧壁５２ｃとを連結し、かつ、固定部の天面側ならびに背面側においてキャビネットよりも突出し、建物内空間の壁面に当接する当接固定壁５２ｅと、を備える。当接固定壁５２ｅは、仕切壁５２ａ、化粧壁５２ｃおよび当接固定壁５２ｅが規定する内部空間５２ｆから固定部の天面側もしくは背面側に連通する固定ネジ孔５２ｇを有する。
【００３８】
スピーカーシステム１０は、天井１および壁面２に対して、連結部材４１と、第１終端固定部材５１とともに第２終端固定部材５２を介して複数のネジ５０で取り付けられる。複数のネジ５０は、固定ネジ孔５２ｇを貫通して、当接固定壁５２ｅが天井１および壁面２に螺着する。内部空間５２ｆは、前面側からドライバーを挿入して背面側の固定ネジ孔５２ｇにネジ５０を取り付けられ、また、下側からドライバーを挿入して天井側の固定ネジ孔５２ｇにネジ５０を取り付けられる、斜めに開いた開口を有する。また、好ましくは、第１終端固定部材５２は、キャビネットの配線溝部に連通する配線孔（もしくは配線用切欠）５２ｈを仕切壁５２ａに有していてもよい。配線孔５２ｈは、スピーカーのターミナルに音声信号を伝送する配線２０を収容する。
【００３９】
図７は、スピーカーシステム１０の左右端部における第１終端固定部材５１および第２終端固定部材５２の嵌合構造について説明する図であり、図７（ａ）は、第１終端固定部材５１の図３における天井１側から見たＣ−Ｃ’断面に相当する部分の拡大断面図、図７（ｂ）は、第２終端固定部材５２の図３における天井１側から見たＣ−Ｃ’断面に相当する部分の拡大断面図、である。
【００４０】
図７（ａ）では、第１終端固定部材５１は、キャビネット１４の左側端部と連結し、スピーカーシステム１０をネジ５０で壁面２に固定している。樹脂またはゴムで成型される内部蓋６４ａは、キャビネット１４のバッフル面１４ａおよびキャビネット後面１４ｄで囲まれた空間の左側端部を閉塞する。なお、キャビネット１４の前面を覆う前面パネル３４は、第１終端固定部材５１の前面をも覆うので、図７（ａ）の拡大断面図においては、その一部がそれぞれ床面５側に上面視されている。同様に、図７（ｂ）では、第２終端固定部材５２は、キャビネット１５の右側端部と連結し、スピーカーシステム１０をネジ５０で壁面２に固定している。樹脂またはゴムで成型される内部蓋６５ｂは、キャビネット１５のバッフル面１５ａおよびキャビネット後面１５ｄで囲まれた空間の左側端部を閉塞する。なお、キャビネット１４および１５が、スピーカーが取り付けられない音声を再生しないキャビネットである場合には、内部蓋は省略されてもよい。また、キャビネット１５の前面を覆う前面パネル３５も、第２終端固定部材５２の前面を覆うので、図７（ｂ）の拡大断面図においては、その一部がそれぞれ床面５側に上面視されている。
【００４１】
後述するように、スピーカーシステム１０の左端部をなす第１終端固定部材５１は、その端が左側の壁面３に極めて近づくように壁面２に螺着される。一方、スピーカーシステム１０の右端部をなす第２終端固定部材５２も、その端が右側の壁面４に近くなるように壁面２に螺着される。押出成形されたキャビネット１１〜１５のそれぞれの長さは、スピーカーシステム１０を取り付ける壁面の入隅の寸法に合わせて調整できるからである。また、キャビネット１１〜１５の前面を覆う前面パネル３１〜３５も、キャビネット１１〜１５の長さに対応して長さを変更することにより、左端の第１終端固定部材５１から右端の第２終端固定部材５２まで、スピーカーシステム１０の前面側をほぼ覆うように設計することができる。したがって、スピーカーシステム１０は、天井１および壁面２が形成する天井側入隅を、ほぼ全体に渡って隙間無く覆ってしまうので、室内美観を改善する廻り縁として機能する。
【００４２】
ここで、スピーカーシステム１０を天井１および壁面２が形成する天井側入隅に沿って取り付ける好ましい方法を説明する。スピーカーシステム１０を取り付ける作業者は、まず、最初に、第１終端固定部材５１をその端が左側の壁面３に極めて近づくように配置し、固定ネジ５０で天井１ならびに壁面２に螺着する。作業者は、第１終端固定部材５１の内部空間５１ｆにドライバーの先端を挿入して、固定ネジ５０を固定ネジ孔５１ｇに貫通させて壁面２に螺着させることができる。次に、作業者は、壁面２に螺着された第１終端固定部材５１の嵌合突起５１ａと、キャビネット１４の左端部とを嵌合させ、続いてキャビネット１５の右端と連結部材４３の（図示しない）第２嵌合突起４３ｄとを嵌合させ、連結部材４３を固定ネジ５０で天井１ならびに壁面２に螺着する。このように、簡単にスピーカーシステム１０を構成する最初のキャビネット１４を、左側の壁面３に近づけて壁面に取り付けることができる。
【００４３】
その後、作業者は、壁面２に螺着された連結部材４３の（図示しない）第１嵌合突起４３ｂと次のキャビネット１２の左端部とを嵌合させ、さらに連結部材４１の第２嵌合突起４１ｄをキャビネット１２の右端部に嵌合させ、連結部材４１を固定ネジ５０で天井１ならびに壁面２に螺着する。このようにキャビネット１２および連結部材４１を連結させた後は、作業者は、同様の作業で、キャビネット１１および連結部材４２、キャビネット１３および連結部材４４、さらにキャビネット１５を連結させる。そして、最後に、作業者は、キャビネット１５の右端部と第２終端固定部材５２の嵌合突起５２ｂとを嵌合させ、第２終端固定部材５２を固定ネジ５０で天井１ならびに壁面２に螺着する。第２終端固定部材５２をキャビネット１５の右端部に嵌合させて、天井１ならびに壁面２に螺着するには、第２終端固定部材５２の端と右側の壁面４との間の距離Ｗが、第２終端固定部材５２の嵌合突起５２ｂの高さＹよりも、わずかでも大きければよい。キャビネット１５の右端部と右側の壁面４との隙間に第２終端固定部材５２を挿入し、キャビネット１５の右端部に嵌合させることができる。距離Ｗが天井側入隅全体の長さに比べて小さければ、スピーカーシステム１０は、天井１および壁面２が形成する天井側入隅をほぼ全体に渡って隙間無く覆うことになる。スピーカーシステム１０をこのような取付方法が可能な構成とすることにより、作業者は、建物内空間の入隅に沿って、簡単に短い作業時間で、かつ、室内美観を損なわないように取り付けることができる。
【００４４】
上記の取付方法で構成されたスピーカーシステム１０は、それぞれのキャビネット１１〜１５が下側フランジ１１ｂにより規定される配線溝部を備え、かつ、それぞれの連結部材４１〜４４が配線溝部に連通する配線孔（もしくは配線用切欠）を備え、また、第１終端固定部材５１および第２終端固定部材５２も配線溝部に連通する配線孔（もしくは配線用切欠）を備える。相互に連通する配線溝部および配線孔は、それぞれのスピーカーのターミナルに音声信号を伝送する配線２０を収容することができる。また、スピーカーシステム１０の配線溝部および配線孔は、前面パネル３１〜３５に覆われて露出しない。前面パネル３１〜３５は、キャビネット１１〜１５の前面側にそれぞれ取り付けられ、それぞれの連結部材４１〜４４ならびに第１終端固定部材５１および第２終端固定部材５２を覆う形状に形成されている。居室内の視聴者には、天井１および壁面２が形成する天井側入隅をほぼ全体に渡って隙間無く覆う前面パネル３１〜３５が露出することになる。したがって、スピーカーシステム１０では、キャビネットと連結部材のみならず、配線２０も露出せずに、室内美観を損なわないようにできる。
【００４５】
スピーカーシステム１０は、天井１および壁面２の入隅に沿って取り付けられる場合に、連結部材４１〜４４の当接連結壁が天井１および壁面２に当接し、かつ、第１終端固定部材５１ならびに第２終端固定部材５２の当接固定壁が天井１および壁面２に当接し、キャビネット１１〜１５が直接に天井１および壁面２に当接することが無いので、スピーカー２１〜２２で発生する振動を壁面に伝わりにくくすることができる。連結部材４１〜４４の当接連結壁と、第１終端固定部材５１ならびに第２終端固定部材５２の当接固定壁に、さらに弾性材料製の振動吸収層を設ける場合には、さらにスピーカー２１〜２２で発生する振動を天井１および壁面２に伝わりにくくすることができる。
【００４６】
図８は、弾性材料製の振動吸収層４１ｉおよび４１ｊをさらに設けた他の連結部材４１を説明する図であり、図８（ａ）は正面図、図８（ｂ）は天井１、壁面２およびネジ５０を点線で書き加えた側面図、図８（ｃ）は天井１側から見たＤ−Ｄ’断面図である。振動吸収層４１ｉは、連結部材４１の当接連結壁４１ｅの天井１側に、振動吸収層４１ｊは、連結部材４１の当接連結壁４１ｅの壁面２側に取り付けられる防振ゴム（もしくは防振樹脂）であり、連結部材４１の固定ネジ孔４１ｇに対応する孔４１ｋを有している。図８（ｂ）に示されるように、スピーカーシステム１０は、天井１および壁面２に対して、連結部材４１の振動吸収層４１ｉおよび４１ｊを介して、振動吸収層４１ｉおよび４１ｊを間に挟んで、複数のネジ５０で取り付けられる。また、第１終端固定部材５１ならびに第２終端固定部材５２についても、図８の連結部材４１と同様に、それぞれの当接固定壁５１ｅ、５２ｅの天井１側および壁面２側に、弾性材料製の振動吸収層が取り付けられる。その結果、スピーカー１０は、天井１および壁面２に振動が伝わりにくくなる。
【００４７】
なお、本実施例では、連結部材の嵌合突起、ならびに、第１終端固定部材ならびに第２終端固定部材の嵌合突起は、キャビネット端部の内側に嵌合しているが、キャビネット端部の外側に嵌合してもよく、この場合には当接連結壁もしくは当接固定壁と一体に成型されていてもよい。また、連結部材の嵌合突起、ならびに、第１終端固定部材ならびに第２終端固定部材の嵌合突起は、内部蓋を兼用してもよく、その場合には対応する内部蓋を省略することができる。
【００４８】
また、本実施例のスピーカーシステム１０では、キャビネット同士を連結する連結部材は、図４に示したいわば直線状にキャビネット同士を連結する構成となっているが、本実施例の形態に限定されるものではない。例えば、キャビネット同士を９０度の角度で連結する構成の連結部材であってもよく、その場合は、第１嵌合突起と第２嵌合突起とが互いに直交するように構成され、スピーカーシステムは、いわばＬ字型に曲がった構成となる。この連結部材の当接連結壁が、例えば、天井１と壁面２および３が形成する居室の入隅のコーナー部に当接すると、スピーカーシステムは、居室の入隅をそのコーナー部を含めて隙間無く覆うので、室内美観を損なわない。
【産業上の利用可能性】
【００４９】
本発明の建物内空間の入隅に沿って配設されるスピーカーシステム、および、このスピーカーシステムを取り付ける取付方法は、スピーカーのみならず、天井面や壁面に埋め込む機器を取り付ける構造にも適用が可能である。
【図面の簡単な説明】
【００５０】
【図１】建物の一部である居室と、それに取り付ける本発明の好ましい実施形態によるスピーカーシステムについて説明する図である。
【図２】本発明の好ましい実施形態によるスピーカーシステム１０の構成について説明する斜視図である。
【図３】本発明の好ましい実施形態によるスピーカーシステム１０のＡ−Ａ’側方断面図である。
【図４】本発明の好ましい実施形態による連結部材４１を説明する図である。
【図５】連結部材４１の周辺構造について説明するＣ−Ｃ’断面の拡大断面図である。
【図６】本発明の好ましい実施形態による第１終端固定部材５１を説明する図である。
【図７】第１終端固定部材５１および第２終端固定部材５２の嵌合構造について説明する図である。
【図８】本発明の他の好ましい実施形態による連結部材４１を説明する図である。
【符号の説明】
【００５１】
１            天井
２〜４        壁面
５            床面
６〜８、１０  スピーカーシステム
１１〜１５    キャビネット
２１〜２３    スピーカーユニット、ダクト、ターミナル
３１〜３５    前面パネル
４１〜４４    連結部材
５０          ネジ
５１          第１終端固定部材
５２          第２終端固定部材
【図２】
2007336390.tif 000003
【図３】
2007336390.tif 000004
【図４】
2007336390.tif 000005
【図５】
2007336390.tif 000006
【図６】
2007336390.tif 000007
【図７】
2007336390.tif 000008
【図８】
2007336390.tif 000009
【図１】
2007336390.tif 000010